(57)【要約】【課題】携帯通信機器のスライド構造を提供する。【解決手段】本考案は円滑なスライド性を具有するスライドカバー式携帯通信機器のスライド構造に関してなり、スライドカバー式の携帯電話の本体内にはＩＣ回路及び取り外し交換可能な電池を設けてなり、本体表面にはディスプレイ及び操作キーモジュールを設けてなり、カバー体には本体にそって直線状にスライド可能であり、カバー体と本体との間に収容されてなるラインベアリングを設けてなり、カバー体のスライドの円滑性を向上させてなる。【選択図】図１
0003124206.tif 000002
【実用新案登録請求の範囲】
【請求項１】
本体及びカバー体より構成され、
本体内には、ＩＣ回路及び取り外し交換可能な電池を設けてなり、本体の表面には、デ
ィスプレイ及び操作キーモジュールを設けてなり、
カバー体は、カーバー部と両側側面部からなりスライド方向に対して横方向の断面がコ
字形状を呈してなり、
スライド方式により本体と結合し、
カバー体と本体は少なくとも一つの側面にラインベアリングを設けてなり、
カバー体のスライドを円滑にしてなること特徴とした、携帯通信製品のスライド構造。
【請求項２】
前記携帯通信製品は携帯電話にてなり、携帯電話本体の両側側面部は内側に凹みスライ
ドレール溝及びスライドガイド溝を設けてなり、スライドレール溝内にはラインベアリン
グを嵌合しスライドさせる金属スライドレール片を設けてなり、スライドガイド溝はカバ
ー体の両側底面部底端にて内側に向かい垂直に延伸する導入部を設けてなることを特徴と
した、請求項１に記載の携帯通信製品のスライド構造。
【請求項３】
前記ラインベアリングは本体とカバー体の両側側面部との境界にてスライドガイド部材、
及びスライドガイド部材の表面にて間隔をおいて配置された孔内に嵌合されたボールによ
り構成されることを特徴とした、請求項１或いは２に記載の携帯通信製品のスライド構造
。
【請求項４】
前記金属スライドレール片の前後端には外部に向かい八字型を呈する二つの位置決め部が
凸設されてなることを特徴とした、請求項２に記載の携帯通信製品のスライド構造。
【請求項５】
前記本体とカバー体の予め定められた箇所に弾性部材を増設してなり、弾性部材の両端に
はそれぞれ本体とカバー体を連接してなり、カバー体を軽く押し弾性部材の回復力により
、カバー体を迅速に下方に開かせてなることを特徴とした、請求項１に記載の携帯通信製
品のスライド構造。
【請求項６】
前記携帯通信機器はＰＤＡ（Personal DigitalAssistants）にてなることを特徴とした、
請求項１に記載の携帯通信製品のスライド構造。
【請求項７】
本体及び、カバー体より構成され、
本体内には、ＩＣ回路及び取り外し交換可能な電池を設けてなり、本体の表面には、数字
操作キーモジュールを設けてなり、
本体の形状に対応するカバー体は、
スライド方式により本体と結合し、
カバー体上面にはディスプレイ及び機能操作キーモジュールが設けられてなり、
底面には少なくとも一つのスライドレール溝を設けてなり、
スライドレール溝内にはラインベアリングを収容してなり、
カバー体のスライドを円滑にしてなること特徴とした、携帯通信製品のスライド構造。
【請求項８】
前記携帯通信製品は携帯電話にてなり、携帯電話のカバー体底面には間隔をおいて二つの
スライドガイド溝が設けられてなり、二つのスライドガイド溝内には、金属スライドレー
ル片を設けてなり、金属スライドレール片の前後端の予め定められた箇所には外部に向か
い弾性を具有する八字型の位置決め部を凸設してなることを特徴とした、請求項７に記載
の携帯通信製品のスライド構造。
【請求項９】
前記ラインベアリングは本体とカバー体の両側側面部との境界にてスライドガイド部材、
及びスライドガイド部材の表面にて間隔をおいて配置された孔内に嵌合されたボールによ
り構成されることを特徴とした、請求項７に記載の携帯通信製品のスライド構造。
【請求項１０】
前記携帯通信機器はＰＤＡ（Personal DigitalAssistants）にてなることを特徴とした、
請求項７に記載の携帯通信製品のスライド構造。
【考案の詳細な説明】
【技術分野】
【０００１】
本考案は、スライドカバー式携帯通信製品に関してなり、特に高スライド性を具有する
スライドカバー式携帯電話又はＰＤＡ（Personal Digital Assistants）に関してなる。
【背景技術】
【０００２】
携帯通信機器における携帯電話は、早期は公知の把手式（Bar-type）携帯電話の形態に
てなり、長さが長くなり、携帯に不便であり、近年は韓国ドラマの人気に従い、韓国ドラ
マ俳優の愛用する折り畳み式携帯又はフリップタイプと称される携帯電話が流行してなり
、折り畳み式携帯電話は、消費者の支持を得て、折り畳むことで携帯電話の長さを短縮で
き携帯に便利であること、及び小さく精巧な外観は、多くの消費者の注目を集めている。
【０００３】
但し、昨年インベンテック株式会社が香港俳優を採用しスライドカバー式携帯電話を広
告してから、徐々に市場の占有率第一の折り畳み式携帯電話に取って代わりつつあり、開
閉を迅速に行うことができ、簡単便利なスライドカバー式の携帯電話は携帯市場の新しい
注目の的となっている。
【０００４】
インベンテック株式会社より出現したスライドカバー式携帯電話は、カバー背面の間隔
にはスライドレール溝が設置されてなり、金属片が嵌合されてなり、本体の上部はレール
溝の箇所に対応する装入部が設けられてなり、カバーをレール溝内に設けられたガイド部
材により自由に開閉させることが可能となっている。
【０００５】
上述のスライドカバー式携帯電話のカバーは自由に開閉され、カバーを開閉する力がガ
イド部材とスライドレール溝内において金属片の摩擦抵抗力を発生し、従ってこの種のス
ライドカバー式携帯電話のスライド構造設計は、金属片とガイドモジュールの緊密性加工
の問題が容易に発生し、カバーをスライドする過程で十分に円滑にならず、消費者のクレ
ームとなり、この種の問題に対して業界では多くの人力と金銭を投入し、スライドカバー
式携帯電話のカバーを円滑にスライドさせることを求めており、カバースライド式携帯電
話での市場は大きくなっている。
【０００６】
更に、携帯通信機器の一つであるＰＤＡは、把手式設計以外に、スライドカバー式の設
計を採用してなり、液晶ディスプレイを保護してなり、この種のスライドカバー設計のＰ
ＤＡは携帯電話と同様にカバーのスライドの円滑性が不十分であるという問題があり、カ
バースライド式の携帯通信機器のスライドを円滑にすることは、業界が競って解決方法を
欲する所である。
【考案の開示】
【考案が解決しようとする課題】
【０００７】
本考案は、スライドが更に円滑に可能なスライドカバー式携帯電話を提供することを目
的とする。
【課題を解決するための手段】
【０００８】
上述の目的を達成する為、本考案の携帯通信機器のスライド構造は、本体及びカバー体
より構成され、本体内には、ＩＣ回路及び取り外し交換可能な電池を設けてなり、本体の
表面には、ディスプレイ及び操作キーモジュールを設けてなり、カバー体は、カーバー部
と両側側面部からなりスライド方向に対して横方向の断面がコ字形状を呈してなり、スラ
イド方式により本体と結合し、カバー体と本体は少なくとも一つの側面にラインベアリン
グを設けてなり、よってカバー体のスライドの円滑性を向上させる。
【０００９】
また、本体及び、カバー体より構成され、本体内には、ＩＣ回路及び取り外し交換可能
な電池を設けてなり、本体の表面には、数字操作キーモジュールを設けてなり、本体の形
状に対応するカバー体は、スライド方式により本体と結合し、カバー体上面にはディスプ
レイ及び機能操作キーモジュールが設けられてなり、底面には少なくとも一つのスライド
レール溝を設けてなり、スライドレール溝内にはラインベアリングを収容してなり、よっ
てカバー体のスライドの円滑性を向上させる。
なお、ラインベアリングとは、ボールやローラをを転動体として用いて、スライドガイ
ド部材の直線状の移動を可能とするベアリングである。
【考案の効果】
【００１０】
本考案の携帯通信機器のスライド構造は、スライドカバー式の携帯電話の本体内にＩＣ
回路及び取り外し交換可能な電池を設けてなり、本体表面にはディスプレイ及び操作キー
モジュールを設けてなり、カバー体には本体にそって直線状にスライド可能でありカバー
体側面部と本体側面部との間に収容されてなるラインベアリングを設けてなり、カバー体
のスライドの円滑性を向上させてなる。
【考案を実施するための最良の形態】
【００１１】
本考案は、携帯通信機器のスライド構造に関してなり、図１，図２に掲載の携帯通信機
器はスライドカバー式の携帯電話のスライド構造にてなるが、本考案の範囲を制限するも
のではなく、スライドカバー式のＰＤＡ等、類似するものも本考案の保護範囲内とする。
【００１２】
本考案のスライドカバー式携帯電話１は、本体１０、カバー体２０より構成されてなり
、本体１０内にはＩＣ回路及び取り外し交換可能な電池を設けてなり、本体１０は上下表
面及び左右両側側面１２よりなり、上表面の上部にはディスプレイ１４（ＴＦＴ或いはＬ
ＣＤ等）が設けられてなり、下部には操作キーモジュール１６が設けられてなり、下表面
には電池装着時の蓋をするカバーが設けられてなり、両側側面部１２には内部に凹むよう
に対称なスライドレール溝が設けられてなり、スライドレール溝内には金属スライドレー
ル片１２１が嵌合され、金属スライドレール片１２１の前後には外側に凸出して「八」字
型の第一位置決め部１２２（図４参照）及び第二位置決め部１２３が設けられてなり（図
１参照）、スライドレール溝底端には内側に向かい凹むように深いガイド溝１２４が設け
られてなる。
【００１３】
図２に示すように、スライド方向に対して横方向の断面がコ字形状を呈するカバー体２
０はスライド方式で本体と結合してなり、カバー体２０は上部のカバー部２１及びカバー
部２１の両側から下方に延伸した両側側面部２２より構成され、両側側面部２２は向かい
合う方向に垂直に延伸する装入部２３が設けられてなり、装入部２３はガイド溝１２４内
にスライド可能となるように設置されてなり、カバー体２０を本体１０にそって直線状に
開閉させてなる。
【００１４】
本実施例のスライド構造はラインベアリング３０にてなり、ラインベアリング３０は本
体１０とカバー体２０の両側側面１２，２２との間に収容されてなり、ラインベアリング
３０は更に予め寸法の定められた金属材の表面にて間隔をおいて配置された孔内に嵌合さ
れた転動するボール３２を設けてなり、ボール３２は金属スライドレール片１２１に沿っ
て自由に移動することができる。
【００１５】
図３は、本考案のスライドカバー式携帯電話のカバーが閉じた状態の図であり、閉じた
状態の時、ラインベアリング３０の末端のボール３２は突出した八字型の第二位置決め部
１２３の切り口に落ち、カバー体２０と本体１０は緊密に接合されてなり、携帯電話を傾
けた時にカバー体２０が図で上方向に移動し開いた状態になることを防止する。
【００１６】
図３の拡大図に示すように、使用者が通話しようとする時、カバー体２０を軽く押し、
ラインベアリング３０の末端のボール３２を第二位置決め部１２３から離脱させ、本体１
０とカバー体２０の両側側面１２，２２との境界を成すラインベアリング３０を通して、
カバー体２０に更に円滑なスライド特性を提供してなる。本考案のスライドカバー式携帯
電話のカバー体は、より良いスライド円滑性を具有してなり、ラインベアリング３０のボ
ール３２は孤状切断面により金属スライドレール片１２１と小さな面積で接触し転動し、
カバー体２０を開閉する時に発生する摩擦力を低減させることができ、円滑な開閉効果を
達成する。
【００１７】
カバー体２０が図４に示すように開いた状態の時、ラインベアリング３０の上部のボー
ル３２は弾性を具有する八字型の第一位置決め部１２２を圧迫してなり、第一位置決め部
１２２の切り口に固定され、通話中にカバー体２０が図で下方に移動する問題の発生を防
止する。
【００１８】
図５乃至図７は、本考案のスライドカバー式携帯電話の第二実施例であり、実施例のス
ライドカバー式携帯電話は、本体４０及びカバー体５０が対応してスライド方式で結合し
てなり、本体４０内にはＩＣ回路を設けてなり、本体の上面４１は数字操作キーモジュー
ル４１１を設けてなり、本体４０の底面４２は取り外し可能なカバー４２１を設けてなり
、本体４０内に電池を収容し密封カバーしてなる。
【００１９】
カバー体５０の上部５１はディスプレイ５１１及び機能操作キーモジュール５１２を設
けてなる。カバー体５０の底面５２には予め定められた間隔を取り対称を成す二つのスラ
イドレール溝を設けてなり、スライドレール溝内には金属スライドレール片５３を嵌合し
てなり、金属スライドレール片５３の上下端には外部に向かい突出する弾性を具有する八
字型位置決め部５４を設けてなる。
【００２０】
更に、ラインベアリングは、本体４０とカバー体５０との間に収容されてなり、カバー
体５０が移動する時の円滑なスライドを提供し、ラインベアリングはスライドガイド部材
６０、及びスライドガイド部材６０において間隔をおいて設置される孔内に嵌合されるボ
ール３２により構成され、ボール３２は弧状切断面により金属スライドレール片５３と小
さい面積で接触し、自然に摩擦力を低減してなり、カバー体５０をスライド中において更
に円滑にしてなる。
【００２１】
更に、本考案の上述のスライドカバー式携帯電話は、カバー体の迅速な開閉の目的を達
成する為、本体とカバー体との間に張力バネを増設し、弾力により本体及びカバー体とそ
れぞれ連接してなり、カバー体のスライドを利用しラインベアリング末端のボールが第二
位置決め部から離脱する時、弾性部材の弾性回復力により、カバー体を自動的に開く方向
にスライドさせカバーを開いた状態にしてなり、前述の構造は簡易に増減交換が可能な設
計にてなり、本考案のスライドカバー式の携帯電話の創作概念に合致してなる。
【００２２】
本考案では好ましい実施例を前述の通り開示したが、これらは決して本考案に限定する
ものではなく、当該技術を熟知する者なら誰でも、本考案の精神と外延を脱しない範囲内
で各種の変形や改良を加えることができ、従って本考案の保護範囲は、実用新案登録請求
の範囲で規定した内容を基準とする。
【図面の簡単な説明】
【００２３】
【図１】本考案のスライドカバー式携帯電話の立体外観図である。
【図２】本考案のスライドカバー式携帯電話の側面図である。
【図３】本考案のスライドカバー式携帯電話のカバー体が閉じた状態の部分透視図である。
【図４】本考案のスライドカバー式携帯電話のカバー体が開いた状態の説明図である。
【図５】本考案のスライドカバー式携帯電話の第二実施例の立体外観図である。
【図６】本考案のスライドカバー式携帯電話の第二実施例のカバー体が開いた状態の説明図である。
【図７】本考案のスライドカバー式携帯電話の第二実施例のカバー体が閉じた状態の説明図である。
【符号の説明】
【００２４】
１ スライドカバー式携帯電話
１０ 本体
１２ 側面部
１２１ 金属スライドレール片
１２２ 第一位置決め部
１２３ 第二位置決め部
１２４ ガイド溝
１４ ディスプレイ
１６ 操作キー
２０ カバー体
２１ カバー部
２２ 側面部
２３ 装入部
３０ ラインベアリング
３１ スライドガイド部材
３２ ボール
４０ 本体
４１ 上部
４１１ 数字操作キーモジュール
４２ 底部
４２１ カバー
５０ カバー体
５１ 上部
５１１ ディスプレイ
５１２ 機能操作キーモジュール
５２ 底部
５３ 金属スライドレール片
５４ 位置決め部
６０ スライドガイド部材
【図１】
0003124206.tif 000003
【図２】
0003124206.tif 000004
【図３】
0003124206.tif 000005
【図４】
0003124206.tif 000006
【図５】
0003124206.tif 000007
【図６】
0003124206.tif 000008
【図７】
0003124206.tif 000009